【手続補正書】
【提出日】平成18年12月13日(2006.12.13)
【手続補正１】
【補正対象書類名】特許請求の範囲
【補正対象項目名】請求項１
【補正方法】変更
【補正の内容】
【請求項１】
撮像手段を備えた撮像装置と接続して該撮像装置の撮像処理を制御する制御装置であって、
前記撮像装置と接続して通信するための通信手段と、
前記通信手段を介し、前記撮像装置が備える撮像機能を表す機能情報を受信する受信手段と、
前記機能情報に基づいて、前記撮像装置が備える撮像機能を判別する判別手段と、
前記判別手段により判別された前記撮像機能に対応するアイコンをユーザインタフェース上に表示する表示制御手段と
を含む制御装置。
【手続補正２】
【補正対象書類名】特許請求の範囲
【補正対象項目名】請求項２
【補正方法】変更
【補正の内容】
【請求項２】
前記撮像装置が前記撮像機能として静止画キャプチャ方法を備えていないと判別された場合に、前記表示制御手段は、該静止画キャプチャ方法に対応するアイコンの表示を省略する請求項１に記載の制御装置。
【手続補正３】
【補正対象書類名】特許請求の範囲
【補正対象項目名】請求項４
【補正方法】変更
【補正の内容】
【請求項４】
前記第１、第２及び第３の静止画キャプチャ方法のうち前記撮像装置が備える静止画キャプチャ方法により撮像可能な最小静止画サイズと、前記制御装置において表示可能な最大表示サイズとを比較するサイズ比較手段をさらに備え、
前記表示制御手段は、前記サイズ比較手段による比較の結果、前記最小静止画サイズが前記最大表示サイズを超える場合には、前記静止画キャプチャ方法のアイコンを表示しないように制御する請求項３に記載の制御装置。
【手続補正４】
【補正対象書類名】特許請求の範囲
【補正対象項目名】請求項５
【補正方法】変更
【補正の内容】
【請求項５】
前記撮像装置が少なくとも前記第１の静止画キャプチャ方法を備える場合に、前記撮像装置が備える前記静止画キャプチャ方法により撮像可能な最大静止画サイズと、前記制御装置により表示可能な最大表示サイズとを比較するサイズ比較手段をさらに備え、
前記表示制御手段は、前記サイズ比較手段による比較の結果、前記最大静止画サイズが前記最大表示サイズを超える場合には、前記第１の静止画キャプチャ方法に対応するアイコンのみを表示するように制御する請求項３または４に記載の制御装置。
【手続補正５】
【補正対象書類名】特許請求の範囲
【補正対象項目名】請求項７
【補正方法】変更
【補正の内容】
【請求項７】
前記撮像装置が少なくとも前記第３の静止画キャプチャ方法を備える場合に、前記通信手段に、静止画データに比較し相対的に多量の動画データなどのデータを送信することのできる複数の撮像装置が接続されているかを判定する判定手段をさらに備え、
前記表示制御手段は、前記判定手段による判定の結果、複数の前記撮像装置が接続されている場合には、前記第３の静止画キャプチャ方法に対応するアイコンを表示するように制御する請求項３に記載の制御装置。
【手続補正６】
【補正対象書類名】特許請求の範囲
【補正対象項目名】請求項８
【補正方法】変更
【補正の内容】
【請求項８】
前記撮像装置が少なくとも前記第２の静止画キャプチャ方法を備える場合に、前記表示制御手段は、前記判定手段による判定の結果、複数の前記撮像装置が接続されていなければ、前記第２の静止画キャプチャ方法に対応するアイコンを表示するように制御する請求項７に記載の制御装置。
【手続補正７】
【補正対象書類名】特許請求の範囲
【補正対象項目名】請求項９
【補正方法】変更
【補正の内容】
【請求項９】
前記撮像装置が少なくとも前記第１の静止画キャプチャ方法と前記第３の静止画キャプチャ方法を備えている場合に、該静止画キャプチャ方法により撮像可能な最大静止画サイズと前記通信手段の転送速度とに基づいて転送時間を算出する算出手段と、
前記撮像装置内において静止画データを生成した際の生成時間を取得する取得手段と、
前記転送時間が前記生成時間の倍以上かどうかを判定する時間判定手段とをさらに備え、
前記表示制御手段は、前記時間判定により、前記転送時間が前記生成時間の倍以上と判定されると、前記第１の静止画キャプチャ方法に対応するアイコンと前記第３の静止画キャプチャ方法に対応するアイコンを表示するように制御する請求項３に記載の制御装置。
【手続補正８】
【補正対象書類名】特許請求の範囲
【補正対象項目名】請求項１１
【補正方法】変更
【補正の内容】
【請求項１１】
撮像手段を備えた撮像装置を外部の制御装置から制御するための制御方法であって、
前記撮像装置が備える撮像機能を表す機能情報を受信するステップと、
前記機能情報に基づいて、前記撮像装置が備える撮像機能を判別するステップと、
判別された前記撮像機能に対応するアイコンを前記制御装置のユーザインタフェース上に表示するステップと
を含む制御方法。
【手続補正９】
【補正対象書類名】特許請求の範囲
【補正対象項目名】請求項１２
【補正方法】変更
【補正の内容】
【請求項１２】
前記撮像装置が前記撮像機能として静止画キャプチャ方法を備えていないと判別された場合に、該静止画キャプチャ方法に対応するアイコンの表示を省略する請求項１１に記載の制御方法。
【手続補正１０】
【補正対象書類名】特許請求の範囲
【補正対象項目名】請求項１４
【補正方法】変更
【補正の内容】
【請求項１４】
前記撮像装置が備える前記静止画キャプチャ方法により撮像可能な最小静止画サイズと、前記制御装置により表示可能な最大表示サイズとを比較するステップと、
前記比較のステップにおける比較の結果、前記最小静止画サイズが前記最大表示サイズを超える場合には、前記静止画キャプチャ方法のアイコンを表示しなように制御するステップと
をさらに含む請求項１３に記載の制御方法。
【手続補正１１】
【補正対象書類名】特許請求の範囲
【補正対象項目名】請求項１５
【補正方法】変更
【補正の内容】
【請求項１５】
前記撮像装置が少なくとも前記第１の静止画キャプチャ方法を備える場合に、前記撮像装置が備える前記静止画キャプチャ方法により撮像可能な最大静止画サイズと、前記制御装置により表示可能な最大表示サイズとを比較するステップと、
前記比較のステップにおける比較の結果、前記最大静止画サイズが前記最大表示サイズを超える場合には、前記第１の静止画キャプチャ方法に対応するアイコンのみを表示するように制御するステップと
をさらに含む請求項１３または１４に記載の制御方法。
【手続補正１２】
【補正対象書類名】特許請求の範囲
【補正対象項目名】請求項１７
【補正方法】変更
【補正の内容】
【請求項１７】
前記撮像装置が少なくとも前記第３の静止画キャプチャ方法を備える場合に、前記制御装置に、動画データなど相対的に多量のデータを送信することのできる複数の撮像装置が接続されているかを判定するステップと、
前記判定のステップにおける判定の結果、複数の前記撮像装置が接続されている場合には、前記第３の静止画キャプチャ方法に対応するアイコンを表示するように制御するステップと
をさらに含む請求項１３に記載の制御方法。
【手続補正１３】
【補正対象書類名】特許請求の範囲
【補正対象項目名】請求項１８
【補正方法】変更
【補正の内容】
【請求項１８】
前記撮像装置が少なくとも前記第２の静止画キャプチャ方法を備える場合に、前記判定ステップにおける判定の結果、複数の前記撮像装置が接続されていなければ、前記第２の静止画キャプチャ方法に対応するアイコンを表示するように制御するステップをさらに含む請求項１７に記載の制御方法。
【手続補正１４】
【補正対象書類名】特許請求の範囲
【補正対象項目名】請求項１９
【補正方法】変更
【補正の内容】
【請求項１９】
前記撮像装置が少なくとも前記第１の静止画キャプチャ方法と前記第３の静止画キャプチャ方法を備えている場合に、該静止画キャプチャ方法により撮像可能な最大静止画サイズと前記撮像装置と前記制御装置間の転送速度とに基づいて転送時間を算出するステップと、
前記撮像装置内において静止画データを生成した際の生成時間を取得するステップと、
前記転送時間が前記生成時間の倍以上かどうかを判定するステップと、
前記転送時間が前記生成時間の倍以上と判定されると、前記第１の静止画キャプチャ方法に対応するアイコンと前記第３の静止画キャプチャ方法に対応するアイコンを表示するように制御するステップと
をさらに含む請求項１３に記載の制御方法。
【手続補正１５】
【補正対象書類名】特許請求の範囲
【補正対象項目名】請求項２１
【補正方法】変更
【補正の内容】
【請求項２１】
請求項１１ないし請求項２０の何れか１項に記載の制御方法の各ステップをコンピュータ上で実行するためのコンピュータプログラム。
【手続補正１６】
【補正対象書類名】明細書
【補正対象項目名】００１２
【補正方法】変更
【補正の内容】
【００１２】
図２は、第１の実施形態に係るＰＣ１０１及びＤＶＣＲ１０２の主要な構成要素を示す図である。まず、ＰＣ１０１の構成を説明する。ＣＰＵ２０１は、ＲＯＭ２０２やＨＤＤ（ハードディスクドライブ）２０４に記憶されているブートプログラム、ＯＳ、ドライバプログラムおよびアプリケーションソフトウェアにしたがって、ＰＣ１０１の各部を制御する演算装置である。ＲＡＭ２０３は、ワークエリアとして機能するランダムアクセスメモリである。表示装置２０５は、アプリケーションソフトウェアなどに基づいて静止画データ、動画データおよびユーザインタフェースなどを表示する表示装置である。操作部２０６は、キーボード、ポインティングデバイスなどの入力装置を有する。ＵＳＢＩＦ２０７は、ＵＳＢに準拠したネットワークインタフェースであり、ＤＶＣＲ１０２との通信に使用される。ＰＣ１０１とＤＶＣＲ１０２はＵＳＢケーブル１０３を介して、ＵＳＢによって規定されたコマンドによりデータの送受信を行うことができる。また、ＰＣ１０１上のアプリケーションソフトウェアからＤＶＣＲ１０２へコマンドを送信し、ＤＶＣＲ１０２の操作を行うことも可能である。ＬＡＮＩＦ２０８は、インターネットなどのネットワークと接続するためのネットワークインタフェースである。なお、ＤＶＣＲ１０２を制御するためのアプリケーションソフトウェアは、ＲＯＭ２２２に記憶されている。
【手続補正１７】
【補正対象書類名】明細書
【補正対象項目名】００３５
【補正方法】変更
【補正の内容】
【００３５】
キャプチャ３の場合には、ステップＳ５１１に進み、ＣＰＵ２０１は、動画データ転送とは別のパイプを用いて、ＤＶＣＲ１０２により生成された送信されてきた静止画データを受信する。
【手続補正１８】
【補正対象書類名】明細書
【補正対象項目名】００３６
【補正方法】変更
【補正の内容】
【００３６】
ステップＳ５１２において、ＣＰＵ２０１は、キャプチャ１ないし３のいずれかによって生成された静止画データを表示装置２０５に表示させるとともに、の表示部３０５に表示されている保存先フォルダに保存する。